(57)【要約】      （修正有）【課題】間仕切りユニット間の横直線度を微調整でき、強固な接合を可能とする。【解決手段】間仕切りユニット１、２の側面に設けた方立枠３の対向面に固定された一方及び他方の補強枠４Ａ、４Ｂを備え、一方の補強枠４Ａの前後に折曲形成されたフランジ４ａ、４ｂ間に回転可能、かつ抜止め状態に支持され、その頭部７ａをフランジ４ａの外面に突出させた調整ねじ具７を設ける、一方のフランジ４ａには調整ねじ具７の軸部７ｂとの干渉防止用の切欠き９を形成し、他方のフランジ４ｂには調整ねじ具７の軸部７ｂと螺合可能に対面する雌ねじ部が形成され、間仕切りユニット１、２同士を横列させた状態で、重合位置決めするとともに、調整ねじ具７の回転により、一方の補強枠４Ａに対し、他方の補強枠４Ｂをそのねじピッチに応じて相対的に前後移動させることにより、両間仕切りユニット１、２同士の前後位置を調整可能とする。【選択図】図２
2010275835.tif 000002
【特許請求の範囲】
【請求項１】
隣り合せるパネル状の間仕切りユニット同士を連結構造を介して横一列に接合し、接合状態で間仕切りユニット同士の前後調整を可能にした間仕切りユニットの接合構造において、
前記連結構造は、各間仕切りユニットの側面の対向面に縦方向に固定された一方及び他方の補強枠を備え、
一方の補強枠の前後に折曲形成されたフランジ間に回転可能、かつ抜止め状態に支持され、その頭部をフランジの外面に突出させた調整ねじ具を設ける一方、
他方の補強枠の前後にフランジを折曲形成し、このうち一方のフランジには前記調整ねじ具の軸部との干渉防止用の切欠きを形成し、他方のフランジには前記調整ねじ具の軸部と螺合可能に対面する雌ねじ部が形成され、
間仕切りユニット同士を横列させた状態で、一方の補強枠の前後フランジに対して他方の補強枠の前後フランジを前後に重合位置決めするとともに、調整ねじ具の回転により、一方の補強枠に対し、他方の補強枠をそのねじピッチに応じて相対的に前後移動させることにより、両間仕切りユニット同士の前後位置を調整可能としたことを特徴とする間仕切りユニットの接合構造。
【請求項２】
前記雌ねじ部が、前記他方の補強枠の前記フランジに形成したタップねじ孔又は前記フランジの外面に固定したナットにより形成されていることを特徴とする請求項１に記載の間仕切りユニットの接合構造。
【請求項３】
隣り合せるパネル状の間仕切りユニット同士を連結構造を介して横一列に接合し、接合状態で間仕切りユニット同士の前後調整を可能にした間仕切りユニットの接合構造において、
前記連結構造は、各間仕切りユニットの側面の対向面に縦方向に固定された一方及び他方の補強枠を備え、
一方の補強枠の前後に折曲形成されたフランジ間に回転可能、かつ抜止め状態に支持され、その頭部をフランジの外面に突出させた調整ねじ具を設け、一方の補強枠において、前記調整ねじ具の軸部の外周には送りナット具が前後移動可能に螺合しているとともに、該送りナット具の前部側において、前記調整ねじ具の軸部の外周には、一端を一方の補強枠の前部フランジに当接し、他端を送りナット具の先端に当接可能とするバネ手段を介挿し、
他方の補強枠は後部にのみ後部フランジを折曲形成し、該後部フランジには前記調整ねじ具の軸部との干渉防止用の切欠きを形成してなり、
間仕切りユニット同士を横列させた状態で、前記送りナット具とバネ手段との間に他方の補強枠の後部フランジの切欠き位置を狭持し、調整ねじ具の回転操作により、両間仕切りユニット同士の前後位置を調整可能としたことを特徴とする間仕切りユニットの接合構造。
【請求項４】
前記バネ手段は、圧縮コイルバネにより形成されていることを特徴とする請求項３に記載の間仕切りユニットの接合構造。
【請求項５】
前記他方の補強枠には、前記切欠きに代えて前記調整ねじ具の軸部が遊挿される挿通孔が形成されていることを特徴とする請求項１乃至４のいずれかに記載の間仕切りユニットの接合構造。
【請求項６】
前記調整ねじ具は、その前記頭部に係合自在とされた工具により回転操作自在とされていることを特徴とする請求項１乃至５のいずれかに記載の間仕切りユニットの接合構造。
【請求項７】
前記調整ねじ具が、前記間仕切りユニットの上下複数箇所に設けられていることを特徴とする請求項１乃至６のいずれかに記載の間仕切りユニットの接合構造。
【発明の詳細な説明】
【技術分野】
【０００１】
本発明は、複数のパネル状の間仕切りユニットを横一列に接合することによって、建物内空間を区画する、例えば、学校内の教室と廊下などの、室内外を区画する間仕切りにおいて、特に隣接するユニット同士の組付け後に、その面同士の接合方向を前後方向に微調整可能とした間仕切りユニットの接合構造に関するものである。
【背景技術】
【０００２】
パネル状の間仕切りユニットを横一列に接合して室内外を仕切る構造として、従来では、隣合う間仕切りユニットの両側面に設けた方立枠の一方を平面視で凹状とし、他方を凸状とし、その凹凸嵌合により接合するものや、両側の方立枠に凹溝を形成し、その間に平面視ロ字形断面のチャンネル状の補強枠を介在して接合するものがある（特許文献１、２）。
【先行技術文献】
【特許文献】
【０００３】
【特許文献１】実開昭６４−１８２９１号公報
【特許文献２】実開平７−１０３６９号公報
【発明の概要】
【発明が解決しようとする課題】
【０００４】
いずれの構造にあっても、隣合うユニットの面同士を精度よく横一直線に揃えるためには、横方向に対面する方立枠の凹凸を精度よく加工するか、あるいは方立枠の凹部と補強枠との嵌め合いを精度よく行う必要がある。しかし、このように精度よく製作した場合には、組付け作業性の低下原因となる。
【０００５】
これに対し、ある程度のガタがある方が組付け作業簡単で作業性は良好となるが、このようにした場合には組付け後に前後のずれが生じ、見栄えが悪いとともに、組付け後にユニット間のガタにより、安定した間仕切り壁とはならない。
【０００６】
本発明は、上記課題を解決するものであり、その目的とするところは、組付け作業性がよく、ユニット間の最終的な面の横方向の直線度をドライバなどの工具による回転操作により簡単に微調整でき、調整後は強固かつ精度のよい接合ができるようにした間仕切りユニットの接合構造を提供するものである。
【課題を解決するための手段】
【０００７】
上記目的を達成するため請求項１の発明では、図１乃至図４の第１実施形態にも示されるように、隣り合せるパネル状の間仕切りユニット１、２同士を連結構造を介して横一列に接合し、接合状態で間仕切りユニット１、２同士の前後調整を可能にした間仕切りユニットの接合構造において、
前記連結構造は、各間仕切りユニット１、２の側面の対向面に縦方向に固定された一方及び他方の補強枠４Ａ、４Ｂを備え、
一方の補強枠４Ａの前後に折曲形成されたフランジ４ａ，４ｂ間に回転可能、かつ抜止め状態に支持され、その頭部７ａをフランジ４ａの外面に突出させた調整ねじ具７を設ける一方、
他方の補強枠４Ｂの前後にフランジ４ａ，４ｂを折曲形成し、このうち一方のフランジ４ａには前記調整ねじ具７の軸部７ｂとの干渉防止用の切欠き９を形成し、他方のフランジ４ｂには前記調整ねじ具７の軸部７ｂと螺合可能に対面する雌ねじ部が形成され、
間仕切りユニット１、２同士を横列させた状態で、一方の補強枠４Ａの前後フランジ４ａ，４ｂに対して他方の補強枠４Ｂの前後フランジ４ａ，４ｂを前後に重合位置決めするとともに、調整ねじ具７の回転により、一方の補強枠４Ａに対し、他方の補強枠４Ｂをそのねじピッチに応じて相対的に前後移動させることにより、両間仕切りユニット１、２同士の前後位置を調整可能としたことを特徴とする。
【０００８】
上記の構成では、図３（ａ）に示すように、一方の補強枠４Ａの前後フランジ４ａ，４ｂ間に調整ねじ具７を回転可能に支持させた後、図３（ｂ）に示すように、一方の補強枠４Ａの前後フランジ４ａ，４ｂに対して他方の補強枠４Ｂの前後フランジ４ａ，４ｂを前後に重合位置決めし、しかる後、図３（ｃ）に示すように、調整ねじ具７を回転操作させる。これにより、他方の補強枠４Ｂの後フランジ４ｂに形成した雌ねじ部との調整ねじ具７先端部の螺合により、一方の補強枠４Ａに対し他方の補強枠４Ｂを、その雌ねじ部のねじピッチに応じて相対的前後移動させて、その前後位置を移動調整させるようにする。
【０００９】
請求項２の発明では、前記雌ねじ部が、前記他方の補強枠４Ｂの前記フランジ４ｂに形成したタップねじ孔１０又は前記フランジ４ｂの外面に固定したナット（図５の参照符号１２）により形成されていることを特徴とする。
【００１０】
請求項３の発明では、図６の第３実施形態にも示されるように、隣り合せるパネル状の間仕切りユニット１、２同士を連結構造を介して横一列に接合し、接合状態で間仕切りユニット１、２同士の前後調整を可能にした間仕切りユニットの接合構造において、
前記連結構造は、各間仕切りユニット１、２の側面の対向面に縦方向に固定された一方及び他方の補強枠を備え、
一方の補強枠４Ａの前後に折曲形成されたフランジ４ａ，４ｂ間に回転可能、かつ抜止め状態に支持され、その頭部７ａをフランジ４ａの外面に突出させた調整ねじ具７を設け、一方の補強枠４Ａにおいて、前記調整ねじ具７の軸部７ｂの外周には送りナット具２２が前後移動可能に螺合しているとともに、該送りナット具２２の前部側において、前記調整ねじ具７の軸部７ｂの外周には、一端を一方の補強枠４Ａの前部フランジ４ａに当接し、他端を送りナット具２２の先端に当接可能とするバネ手段２０を介挿し、
他方の補強枠（第２の補強枠２３）は後部にのみ後部フランジ２３ａを折曲形成し、該後部フランジ２３ａには調整ねじ具７の軸部７ｂとの干渉防止用の切欠き９を形成してなり、
間仕切りユニット１、２同士を横列させた状態で、前記送りナット具２２とバネ手段２０との間に他方の補強枠（第２の補強枠２３）の後部フランジ２３ａの切欠き９位置を狭持し、調整ねじ具７の回転操作により、両間仕切りユニット１、２同士の前後位置を調整可能としたことを特徴とする。
【００１１】
請求項４の発明では、請求項３の発明において、前記バネ手段２０は、圧縮コイルバネにより形成されていることを特徴とする。
【００１２】
上記の構成では、図６（ａ）に示すように、一方の補強枠４Ａの前後フランジ４ａ，４ｂ間に調整ねじ具７を回転可能に支持させた後、図６（ｂ）に示すように、一方の補強枠４Ａの前後フランジ４ａ，４ｂに対して第２の補強枠２３の後部フランジ２３ａを、送りナット具２２とバネ手段２０との間に挿入させるようにして前後に重合位置決めし、しかる後、図６（ｂ）（ｃ）に示すように、調整ねじ具７を回転操作させる。これにより、送りナット具２２を、そのねじピッチに応じて相対的前後移動させて、第２の補強枠２３の後部フランジ２３ａを移動調整させ、両間仕切りユニット１、２同士の前後位置を移動調整させるようにする。
【００１３】
請求項５の発明では、前記他方の補強枠（他方の補強枠４Ｂ又は第２の補強枠２３）には、前記切欠き９に代えて、前記調整ねじ具７の軸部７ｂが遊挿されるばか孔よりなる挿通孔が形成されていることを特徴とする。
【００１４】
上記の構成では、一方及び他方の補強枠の対向するフランジを前後に重合させてから、調整ねじ具７の軸部７ｂを挿入させるようにする。
【００１５】
請求項６の発明では、前記調整ねじ具７は、その前記頭部７ａに係合自在とされた工具Ｄにより回転操作自在とされていることを特徴とする。
工具Ｄとしては、調整ねじ具７の頭部７ａの形状に応じて、ドライバ又はレンチなどが使用される。
【００１６】
請求項７の発明では、前記調整ねじ具７が、前記間仕切りユニット１、２の上下複数箇所に設けられていることを特徴とする。
調整ねじ具７は、間仕切りユニット１、２の上部と下部の間の一箇所、上下の間隔を置いた二箇所、又は、上中下の三箇所に設けるようにしても差し支えない。
【発明の効果】
【００１７】
請求項１の発明では、調整ねじ具の回動操作のみで、ユニット間の前後微調整を行わせることができ、その調整作業が簡単で正確となる。調整ねじ具の回動操作は、調整ねじ具の頭部を介して、これと係合するドライバやレンチなどの工具により、手動又は電動により行わせることができる。
【００１８】
また、請求項１の発明では、前後の微調整とともに、調整ねじ具を介して補強枠同士を剛結合でき、間仕切りユニット同士の結合安全性が向上する。
【００１９】
さらに、前後の微調整が、雌ねじ部のねじピッチに対応するため、微調整が可能となる。
【００２０】
請求項３記載の発明では、送りナット具には常時バネ手段によりバネ圧が加わっているため、遊びがなく、調整後は間仕切りユニット同士を精度よく面一状態に保持できる。
【００２１】
請求項７記載の発明では、上下複数箇所の調整ねじ具による調整となり、一層微妙な調整が可能となり、左右の間仕切りユニット同士の結合も強固となる。
【図面の簡単な説明】
【００２２】
【図１】本発明が適用される間仕切りユニットの正面図である。
【図２】同ユニット間の接合部を分解して示す本発明の第１実施形態による一部拡大の平断面分解斜視図である。
【図３】（ａ）〜（ｃ）は同第１実施形態による調整作業手順を示す部分拡大平断面図である。
【図４】（ａ）．（ｂ）は図３に引続く調整作業および最終組立の作業手順を示す部分拡大平断面図である。
【図５】（ａ），（ｂ）は第２実施形態における調整作業手順を示す部分拡大平断面図である。
【図６】（ａ）〜（ｃ）は第３実施形態における調整作業手順を示す部分拡大平断面図である。
【図７】第４実施形態を示す部分拡大平断面図である。
【発明を実施するための形態】
【００２３】
以下、本発明を適用した実施の形態例を図１以下の図面を参照して説明する。
【００２４】
図１において、本発明が適用される実施形態の間仕切りユニットは、木製間仕切であって、学校の教室と廊下などを間仕切るためのものであり、床面ＦＬと天井面ＣＬ間に立設された第１の間仕切りユニット１（以下単にユニット１と称する）と、該ユニット１に隣接して床面ＦＬと天井面ＣＬ間に立設された第２の間仕切りユニット２（以下単にユニット２と称する）とを備えている。本発明は、木製以外の、金属製或いはプラスチック製等の間仕切にも適応可能である。また、オフィスビル等、学校以外の建物内の空間を区画する等の用途にも適応できる。
【００２５】
ユニット１は、最上部に引戸式天窓１ａを設け、下部に引戸１ｂを設け、中間部をパネル面１ｃとしたものであり、ユニット２は、上部に引戸式天窓２ａを設け、中間部に同じく引戸式窓２ｂを設け、その下部をパネル面２ｃとしたもので、いずれのタイプのユニットとも、その高さＨの実寸法は、床面ＦＬから天井面ＣＬまでの高さである寸法（一般的には２．５〜２．７ｍ程度）であり、厚みも等しく設定され、これらユニット１，２の組合せ（あるいは何れか一方の同一ユニット）を複数枚横一列に配列するとともに、その両側にドアユニットなどを接合することによって、室内と廊下などの外部空間とを出入り可能に区画するようになっている。
【００２６】
図２乃至図４は本発明の第１実施形態を示している。まず図２において、隣合うユニット１，２同士が対面する木質材よりなる方立枠３，３の接合端面には、それぞれ縦方向に沿って平面視で断面略コ字状であって同一の金属製の一方及び他方の補強枠４Ａ，４Ｂが複数の木ねじよりなる固定具Ｂにより位置決め固定されている。隣合うユニット１，２は、方立枠３、３同士を隣接させた状態でその前後部に直角に折曲形成された前後部フランジ４ａ，４ｂを前後に重合可能に対向させている。なお、図中符号５，５は方立枠３の内側に建て込まれた前述の窓枠、引戸枠、パネルなどを構成する本体部である。
【００２７】
ユニット２側の一方の補強枠４Ａの前後のフランジ４ａ，４ｂには、バカ孔よりなるねじ挿通孔６，６が開口され、この挿通孔６，６には両ユニット１，２の前後方向を微調整するための調整ねじ具７が予め挿通されるようになっている。
【００２８】
調整ねじ具７は、頭部７ａにドライバ溝が形成され、かつ前部フランジ４ａの前面に突出するねじ頭部７ａと、雄ねじ部を外周に形成した軸部７ｂとを備え、ねじ頭部７ａと軸部７ｂとの接合位置には、図の円内の一部を拡大して示すように、溝７ｃが形成され、軸部７ｂを両挿通孔６，６に挿通後に、前部フランジ４ａの背面でＥ−リング８を溝７ｃ内に嵌合することによって、軸部７ｂを補強枠４に対して回転可能、かつ抜止め状態に支持するようになっている。
【００２９】
これに対し、ユニット１に取付けられた他方の補強枠４Ｂの前記調整ねじ具７の取付位置と同一高さ位置において、前部フランジ４ａには側方に向けて開口したＵ字形溝よりなる切欠き９が形成され、後部フランジ４ｂには、図の円内の一部を拡大して示すように、前記調整ねじ具７の軸部７ｂに螺合可能なねじ孔１０がタップ加工によって形成されている。
上記図示例では、一方の補強枠４Ａの前後のフランジ４ａ，４ｂの間隔は、他方の補強枠４Ｂの前後のフランジ４ａ，４ｂの間隔と略等しくされている。また、挿通孔６，６に挿通された調整ねじ具７と切欠き９とねじ孔１０とは、同じ高さになるように配置されている。
【００３０】
なお、以上の接合構造は、図では一組しか描かれていないが、各ユニット１，２の上下方向の２箇所に配置され、上部側は天井面ＣＬから数１０ｃｍ下の位置、下部側は床面ＦＬから数１０ｃｍ上の位置に設けられている。
【００３１】
以上の接合構造は、必要に応じて、上下方向の２箇所の間の位置に、１箇所又は任意の複数箇所に設けるようにしても良い。
上記一方及び他方の補強枠４Ａ，４Ｂは、上下に連続した構造であり、挿通孔６，６、調整ねじ具７、切欠き９及びねじ孔１０が、上下複数箇所に配置されていることが望ましい。
上下複数箇所に設けた調整ねじ具７のねじ頭部７ａは、ユニット１、２の表裏の同じ側に向いている方が施工上望ましいが、表裏逆方向に向いていても良い。                    
【００３２】
上記第１実施形態において、上記他方の補強枠４Ｂの前部フランジ４ａに形成された切欠き９に代えて、ねじ挿通孔又はねじ孔を形成させることも可能であるが、この場合には、前後部フランジ４ａ，４ｂともに、孔加工又はタップ加工に精度が特に求められる。
【００３３】
次に、上記構成における組立手順を図３，４を用いて説明する。なお、以下の説明は、第１のユニット１は予め所定の取付位置に固定され、第２のユニット２を第１のユニット１に接続する場合について説明するが、逆であっても同じである。
【００３４】
まず、組付け初期時において、ユニット２がユニット１に対して手前側にずれ、またユニット２がユニット１に対して横方向に所定距離ｄ１離間している状態で、図３（ａ）に示すように、ユニット２を矢印に示す接近方向に移動させることにより、図３（ｂ）に示すように、調整ねじ具７の軸部７ｂが切欠き９内に係合し、横方向の位置決めがなされる。
【００３５】
この状態では前後方向にｄ２分の離間距離があるため、図３（ｂ）矢印で示すようにユニット２を奧方に押し付ければ、軸部７ｂの先端が後部フランジ４ｂのねじ孔１０の先端部に当接し、その先端がねじ孔１０に螺合可能な状態となるので、その後は図３（ｃ）に示すように、ドライバなどよりなる工具Ｄを用いて、軸部７ｂを時計回り方向に回転操作すれば、ねじピッチに応じてさらにユニット２はユニット１側に引寄せられる。なお、図３（ｃ）では、ユニット１に対しユニット２が奥行方向に行過ぎ、前後の微小距離ｄ３分の前後のずれが生じている場合を示している。
【００３６】
このような行過ぎがあった場合には、図４（ａ）に示すように工具Ｄを反時計方向に回転させれば、ユニット２は前進する。このようにして微小調整を行うことによって、最終的にはユニット１，２間の前後のずれは０となり、両ユニット１，２間を面一に保つことができる。なお、上下方向二箇所で同一操作を行うことにより、両ユニット１，２の鉛直度も保たれる。
【００３７】
その後は、図４（ｂ）の矢印に示すように、ユニット１，２間の前後に形成された隙間に帯状に形成された弾性材などからなる装飾用目地材１１を縦方向に沿って圧入嵌合すれば、意匠上の外観も整えられる。
【００３８】
本実施形態では、ユニット１，２の荷重が重くても、工具Ｄの回転力のみによってねじピッチに応じてユニット１，２同士を相対的に前後移動させて最終的な面一調整ができるため、調整作業が簡単、かつ大きな力を必要とせず、また、上下１対の調整ねじ具７によって補強枠４，４同士が横方向に剛結合されるため、両ユニット１，２間の接合強度も高いものとなる。
【００３９】
図５は、第１実施形態をやや変形させた第２実施形態を示すものである。なお、本実施形態以降の説明からは、第１実施形態と同一部材には同一符号を付し、異なる、あるいは新たに付加された部材にのみ異なる符号を用いて説明する。
【００４０】
図５において、ユニット１の他方の補強枠４Ｂにおける後部側フランジ４ｂの背面には図５の円内に一部拡大して示すように、前記ねじ孔に替えてナット１２が溶接１３により固定されている。それ以外の構成は、上記第一実施形態と同じである。
【００４１】
この構成においては、溶接ナット１２に調整ねじ具７の軸部７ｂの先端が螺合し、同じく工具Ｄによってユニット１，２間の前後調整が可能となっている。ずれ調整後は、ユニット１，２間の接合凹部に図示しない目地材（図４（ｂ）参照）を嵌合充填すれば、取付作業を完了する。
【００４２】
本実施形態でも第１実施形態と同様の作用効果を得られるほか、補強枠４の材厚が薄く、タップ加工によっては調整ねじ具７に対するねじ込みしろや、結合剛性を十分に確保できない場合などに好適である。
【００４３】
図６は、本発明の第３実施形態を示すものである。図６（ａ）において、ユニット２の方立枠３の端面には、前記と同様に平面視で断面コ字形の一方の補強枠４Ａが複数の木ねじよりなる固定具Ｂを介して位置決め固定されている。一方の補強枠４Ａの前後フランジ４ａ，４ｂには、挿通孔６，６が形成され、この挿通孔６，６に調整ねじ具７が挿通支持されているとともに、前部フランジ４ａの内側において、図の円内に一部拡大して示すように、調整ねじ具７の軸部７ｂ外周にＥ−リング８を嵌合することにより、調整ねじ具７を両フランジ４ａ間に抜止め状態であって、回転可能に支持している。
【００４４】
さらに、軸部７ｂの外周には、圧縮コイルバネよりなるバネ手段２０が介在されおり、その先端をＥ−リング８に当接している。またバネ手段２０の後端は、図の円内に一部拡大して示すように、軸部７ｂの外周に介挿された平面視でへの字形のガイドワッシャ２１に当接している。さらに、ガイドワッシャ２１の後部には軸部７ｂに沿って移動可能な送りナット具２２が螺合している。送りナット具２２の一側部には、補強枠４の板面の前後方向に沿って摺動可能なつれ廻り防止用のガイド部２２ａが設けられ、調整ねじ具７の回転操作によって前後方向にのみ移動可能且つ回転不可となっている。
【００４５】
なお図６（ａ）では、送りナット具２２は後部フランジ４ａの位置まで移動し、この状態でバネ手段２０は最大限延びきった状態にあり、ガイドワッシャ２１と、送りナット具２２間には隙間ｄが形成されている。
【００４６】
これに対し、ユニット１の方立枠３の端面には、後部のみにフランジ２３ａを立ち上げた平面視でＬ字形の第２の補強枠２３が複数の固定具Ｂを介して位置決め固定されており、この後部フランジ２３ａの前記調整ねじ具７の取付位置との対向位置には前記と同様に側方に向けて開口する切欠き９が切欠き形成されている。
【００４７】
従って、送りナット具２２を最大限後方に移動させた状態で、図６（ａ）に示す隙間ｄの間にユニット２を移動させて矢印に示すようにユニット２を押込めば、図６（ｂ）に示すように、切欠き９は送りナット具２２とガイドワッシャ２１間に挟持され、ユニット２のユニット１に対する横方向の位置決めがなされる。
【００４８】
この状態では、ユニット１に対してユニット２が手前側に所定距離ｄ４分ずれた状態にあり、前後方向の位置決めはなされておらず、工具Ｄを用いて調整ねじ具７を時計回り方向に回転させれば、バネ２０を圧縮しつつ送りナット具２２は前進し、相対的にユニット２は後退してユニット１に同一面に配列されるが、工具Ｄの操作により、図６（ｃ）に示すように、ユニット２がユニット１より所定距離ｄ４分奧方に行過ぎた場合には、今度は工具Ｄを反時計方向に逆回しすることにより、ナット２２は後退し、バネ２０の付勢圧によって、ユニット２を手前側に押戻すので、これらの調整により送りナット具２２の押圧力とバネ圧を拮抗させつつ直線状に配列するとができる。
【００４９】
本第３実施形態においても、以上の機構はユニット１，２の上下方向に二箇所設けられていることは勿論であり、それぞれの調整操作により、鉛直度を保ちつつ面一に揃えることができる。調整作業後は、両ユニット１，２間の隙間に目地材（図４（ｂ）参照）を圧入嵌合するこにより仕上げとすることも言うまでもない。
【００５０】
本第３実施形態では、送りナット具２２には常時バネ２０のバネ圧が加わっているため、遊びがなく、調整後は精度よく面一状態を保持できる。
【００５１】
なお、本第３実施形態において、横方向位置決め時において、好ましくは強制的にバネ手段２０およびガイドワッシャ２１を手前側に引寄せておく取外し可能な治具手段などを設けておけば、切欠き９に対する調整ねじ具７の嵌め込み可能な前後の隙間しろを大きく取ることができるため、組付け作業初期段階におけるユニット２の横方向位置決め操作をより簡単に行えることになる。
【００５２】
また、本第３実施形態では、送りナット具２２としては、通常の六角ナットの側面につれ廻り防止用のガイド部２２ａを設けたが、矩形状ナットとし、その一側面をガイド枠４の板面に摺動可能に接触させることもできる。
【００５３】
さらに、本第３実施形態においては、調整ねじ具７によっては、補強枠４，２３同士は直接的には剛結合されないため、調整作業後は、フランジ同士の別の位置を結合専用の任意の結合部で連結すればよい。
【００５４】
図７は第３実施形態の変形例としての第４実施形態を示している。この実施形態において、ユニット１における方立枠３の端面には、前記第２の補強枠２３の位置決め嵌合用の溝部３ａが形成されているとともに、ユニット２における方立枠３の対向端面には、補強枠４の取付用の平坦な溝部３ｂが形成されている以外は、第３実施形態と同じである。
【００５５】
本第４実施形態では各ユニットで左右の溝部形状を変更することによって、ユニット組立時における補強枠４，２３の左右の取付ミスを未然に防止することができる。
【００５６】
本発明に係る間仕切りユニットの接合構造は、上記左右２個のユニットの接合のみならず３個以上のユニットの接合に適応させることができる。
また、上記各実施形態に係るユニット１、２は、引戸式天窓１ａ、引戸１ｂ、パネル面１ｃ、引戸式天窓２ａ、引戸式窓２ｂ、パネル面２ｃが設けられる構造としたが、これらの構造にとらわれず他の構造とすることも可能である。
さらに、ユニットがほぼパネル面のみで構成される場合など、ユニットの構成によっては、上記方立枠を省略し、上記補強部材を直接ユニット本体部の側面に設けるようにすることも可能である。
【００５７】
以上の各実施形態では、ユニット間の前後を揃えて横一直線上に接合する場合を示したが、ユニット同士を角度を設けて接合することもできる。この場合には補強枠のフランジを直角でなくその角度に応じた角度に形成すればよい。このような間仕切りで仕切られる空間は多角形となり、意匠的にも新奇な間仕切り構造を得ることができる。また本発明を適応して、ユニット同士を前後にカーブした形状に接合することも可能である。
【００５８】
上記のような一方及び他方の補強部材４Ａ，４Ｂのうち一方の補強部材を上記ユニット１，２のうち一方のユニットの正面や裏面に設け、他方の補強部材を他方のユニットの側面に設けることにより、ユニット１，２を略Ｔ字形、略イ字形に接合することが可能になる。この時、上記接合構造を上記接合部の上下に配置することにより、他方のユニットの姿勢調整が可能となる。
【符号の説明】
【００５９】
１  第１の間仕切りユニット（ユニット１）
１ａ  天窓
１ｂ  引戸
１ｃ  パネル
２  第２の間仕切りユニット（ユニット２）
２ａ  天窓
２ｂ  中間窓
２ｃ  パネル
３  方立枠
４Ａ，４Ｂ      一方及び他方の補強枠
４ａ  前部フランジ
４ｂ  後部フランジ
５  本体部
６  挿通孔
７  調整ねじ具
７ａ  頭部
７ｂ  軸部
７ｃ  溝
８  Ｅ−リング
９  切欠き
１０  ねじ孔
１１  目地材
１２  ナット
１３  溶接
２０  バネ手段
２１  ガイドワッシャ
２２  送りナット具
２２ａ  つれ廻り防止用ガイド部
２３  他方の補強枠としての第２の補強枠
２３ａ  後部フランジ
Ｂ  固定具
Ｄ  工具
【図１】
2010275835.tif 000003
【図２】
2010275835.tif 000004
【図３】
2010275835.tif 000005
【図４】
2010275835.tif 000006
【図５】
2010275835.tif 000007
【図６】
2010275835.tif 000008
【図７】
2010275835.tif 000009